(57)【要約】【課題】排水処理時の時間を短縮することが可能な汚物処理袋を提供することにある。【解決手段】汚物処理袋１０は、表面側パネル２１と裏面側パネル２２とが、底部において折り返し状に連続し、かつ、側部において少なくとも一部が接合された、袋状の水溶性フィルム２と、表面側パネル３１と裏面側パネル３２とが底部において折り返し状に連続し、水溶性フィルム２の外側に配置された水分散性の紙３と、を備えており、水溶性フィルム２と水分散性の紙３とは、両者の底部折り返し部２３，３３において互いに分離しているとともに、底部以外の部位において接合されており、水溶性フィルム２は、底部とは反対側に開口したフィルム側上部開口部（上部開口部２４）、および、上部開口部２４以外の部位において開口したフィルム側補助開口部（補助開口部４１）を有することを特徴とする。【選択図】図１
2018070325.tif 000002
【特許請求の範囲】
【請求項１】
表面側パネルと裏面側パネルとが、底部において折り返し状に連続し、かつ、側部において少なくとも一部が接合された、袋状の水溶性フィルムと、
表面側パネルと裏面側パネルとが底部において折り返し状に連続し、前記水溶性フィルムの外側に配置された、水分散性の紙と、
を備えており、
前記水溶性フィルムと前記水分散性の紙とは、両者の底部折り返し部において互いに分離しているとともに、底部以外の部位において接合されており、
前記水溶性フィルムは、底部とは反対側に開口したフィルム側上部開口部、および、前記フィルム側上部開口部以外の部位において開口したフィルム側補助開口部を有する、
ことを特徴とする汚物処理袋。
【請求項２】
前記水分散性の紙は、側部において少なくとも一部が接合され、外袋を形成しており、
前記水溶性フィルムは、前記水分散性の紙の内側に配置された内袋を形成しており、
前記水溶性フィルムと前記水分散性の紙とは、側部において接合されている、
請求項１に記載の汚物処理袋。
【請求項３】
前記水分散性の紙は、底部とは反対側に開口した紙側上部開口部、および、前記紙側上部開口部以外の部位において開口した紙側補助開口部を有する、
請求項２に記載の汚物処理袋。
【請求項４】
前記フィルム側補助開口部および紙側補助開口部はそれぞれ、前記水溶性フィルムおよび前記水分散性の紙において、前記底部側、かつ、前記側部側の端縁部分に配置されている、
請求項３に記載の汚物処理袋。
【請求項５】
前記水分散性の紙は、手の力で変形させることができ、かつ、変形後の形状を保持することが可能な材質からなる、
請求項１ないし請求項４のいずれか一項に記載の汚物処理袋。
【請求項６】
請求項１ないし請求項５のいずれか一項に記載の汚物処理袋と、
長手方向に延び、前記長手方向の一方の端縁部に前記汚物処理袋を着脱可能な棒状部材と、
を備えることを特徴とする汚物処理具。
【請求項７】
前記棒状部材は、
前記汚物処理袋を支持する支持部と、
前記支持部が前記長手方向の一方の端縁部に取り付けられ、前記長手方向に伸縮自在なロッド部と、
前記ロッド部において、前記長手方向の、前記支持部とは反対側の端縁部に配置される把持部と、
を有しており、
前記支持部は、一方が前記汚物処理袋の内側を係止し、他方が前記汚物処理袋の外側を係止して、前記汚物処理袋を挟持する一対の挟持部を有する、
請求項６に記載の汚物処理具。
【請求項８】
請求項６または請求項７に記載の汚物処理具を用いた汚物処理方法であって、
前記水分散性の紙が内側となり、前記水溶性フィルムが外側となるように、前記汚物処理袋を反転する工程と、
反転した状態の前記汚物処理袋において、前記フィルム側上部開口部を広げる工程と、
前記フィルム側上部開口部を広げた後の前記汚物処理袋を、前記棒状部材に取り付ける工程と、
前記汚物処理具を持って、動物の尻下に前記棒状部材に取り付けられた汚物処理袋を差し延べて汚物を収容する工程と、
前記汚物処理袋を前記棒状部材から取り外す工程と、
前記汚物処理袋を水洗トイレに流す工程と、
を有することを特徴とする汚物処理方法。
【発明の詳細な説明】
【技術分野】
【０００１】
本願発明は、被介護者の汚物あるいは犬や猫などのペットの糞などの汚物を収容したまま水洗排水処理可能な汚物処理袋に関する。さらに、当該汚物処理袋を用いた汚物処理具および当該汚物処理具を用いた汚物処理方法に関する。
【背景技術】
【０００２】
被介護者の汚物処理は、汚物が直接手に触れることがないように、ティッシュペーパーやトイレットペーパーを用いて汚物を掴み、これをビニール袋等に入れるということが一般的に行われている。また、犬や猫などのペットの糞などの汚物処理は、散歩時にスコップとビニール袋を携行し、糞をスコップで拾ってビニール袋に入れて回収することが一般的に行われている。これらの汚物処理において、ビニール袋に入れた汚物は、生ゴミとして処理されるのが普通である。そのため、生ゴミの回収日まで家庭で保管せざるを得ず、悪臭や不衛生な環境の原因となる場合が多い。
【０００３】
このような問題を解決しようとするものとして、特許文献１に、水洗トイレなどで排水処理可能な汚物処理袋が開示されている。特許文献１に記載の汚物処理袋は、水分散性の紙を外袋とし、水溶性フィルムを内袋として、二重構造の袋状となっている。この汚物処理袋の利用者は、この汚物処理袋に手を挿入し、汚物処理袋に覆われた手で汚物等を掴み、その状態で水分散性の紙が内側に、水溶性フィルムが外側になるように袋を反転させて汚物等を袋内に収容回収する。そして、汚物等を収容した汚物処理袋をそのまま排水処理することができる。
【先行技術文献】
【特許文献】
【０００４】
【特許文献１】特許第３００２８２２号公報
【発明の概要】
【発明が解決しようとする課題】
【０００５】
しかしながら、特許文献１に記載された汚物処理袋においても、なお、次のような改善すべき課題がある。具体的には、従来の汚物処理袋は、汚物等を収容したとき、水溶性フィルムと水分散性の紙との間に空気層を形成することで、短時間のうちに水分が外側の水溶性フィルムに滲み出すことがないようにしている。しかし、この空気層により、排水処理時に、汚物処理袋が便器内の洗浄水上に浮いてしまう。そのため、汚物処理袋は、便器内の洗浄水に触れる面が少なくなり、水分散性の紙や水溶性フィルムが溶けるまでに時間がかかってしまい、すぐに流せないといった課題があった。
【０００６】
そこで、本願発明は、上記課題に鑑みて創作されたものであり、その目的は、排水処理時の時間を短縮することが可能な汚物処理袋を提供することにある。また、汚物処理を容易に行うことが可能な、当該汚物処理袋を用いた汚物処理具および当該汚物処理具を用いた汚物処理方法を提供することにある。
【課題を解決するための手段】
【０００７】
本願発明の第１の側面によって提供される汚物処理袋は、表面側パネルと裏面側パネルとが、底部において折り返し状に連続し、かつ、側部において少なくとも一部が接合された、袋状の水溶性フィルムと、表面側パネルと裏面側パネルとが底部において折り返し状に連続し、前記水溶性フィルムの外側に配置された、水分散性の紙と、を備えており、前記水溶性フィルムと前記水分散性の紙とは、両者の底部折り返し部において互いに分離しているとともに、底部以外の部位において接合されており、前記水溶性フィルムは、底部とは反対側に開口したフィルム側上部開口部、および、前記フィルム側上部開口部以外の部位において開口したフィルム側補助開口部を有することを特徴とする。
【０００８】
前記汚物処理袋の好ましい実施の形態において、前記水分散性の紙は、側部において少なくとも一部が接合され、外袋を形成しており、前記水溶性フィルムは、前記水分散性の紙の内側に配置された内袋を形成しており、前記水溶性フィルムと前記水分散性の紙とは、側部において接合されている。
【０００９】
前記汚物処理袋の好ましい実施の形態において、前記水分散性の紙は、底部とは反対側に開口した紙側上部開口部、および、前記紙側上部開口部以外の部位において開口した紙側補助開口部を有する。
【００１０】
前記汚物処理袋の好ましい実施の形態において、前記フィルム側補助開口部および紙側補助開口部はそれぞれ、前記水溶性フィルムおよび前記水分散性の紙において、前記底部側、かつ、前記側部側の端縁部分に配置されている。
【００１１】
前記汚物処理袋の好ましい実施の形態において、前記水分散性の紙は、手の力で変形させることができ、かつ、変形後の形状を保持することが可能な材質からなる。
【００１２】
本願発明の第２の側面によって提供される汚物処理具は、前記第１の側面によって提供される汚物処理袋と、長手方向に延び、前記長手方向の一方の端縁部に前記汚物処理袋を着脱可能な棒状部材と、を備えることを特徴とする。
【００１３】
前記汚物処理具の好ましい実施の形態において、前記棒状部材は、前記汚物処理袋を支持する支持部と、前記支持部が前記長手方向の一方の端縁部に取り付けられ、前記長手方向に伸縮自在なロッド部と、前記ロッド部において、前記長手方向の、前記支持部とは反対側の端縁部に配置される把持部と、を有しており、前記支持部は、一方が前記汚物処理袋の内側を係止し、他方が前記汚物処理袋の外側を係止して、前記汚物処理袋を挟持する一対の挟持部を有する。
【００１４】
本願発明の第３の側面によって提供される汚物処理方法は、前記第２の側面によって提供される汚物処理具を用いた汚物処理方法であって、前記水分散性の紙が内側となり、前記水溶性フィルムが外側となるように、前記汚物処理袋を反転する工程と、反転した状態の前記汚物処理袋において、前記フィルム側上部開口部を広げる工程と、前記フィルム側上部開口部を広げた後の前記汚物処理袋を、前記棒状部材に取り付ける工程と、前記汚物処理具を持って、動物の尻下に前記棒状部材に取り付けられた汚物処理袋を差し延べて汚物を収容する工程と、前記汚物処理袋を前記棒状部材から取り外す工程と、前記汚物処理袋を水洗トイレに流す工程と、を有することを特徴とする。
【発明の効果】
【００１５】
本願発明によれば、排水処理時に、フィルム側補助開口部を介して汚物処理袋の内側に水が流入するため、汚物処理袋は外側からだけでなく内側からも溶解することができる。これにより、汚物処理袋の溶解を促進し、排水処理時の時間を短縮することができる。また、汚物処理具および汚物処理方法において、犬や猫などのペットの糞を直接汚物処理袋に収容可能である。これにより、手やスコップなどで汚物を取り、汚物処理袋に入れる必要がないため、容易に汚物処理が可能となる。
【図面の簡単な説明】
【００１６】
【図１】本願発明に係る汚物処理袋の一実施形態の全体外観図である。
【図２】図１のＩＩ−ＩＩ線に沿う断面図である。
【図３】図１のＩＩＩ−ＩＩＩ線に沿う断面図である。
【図４】汚物処理袋を用いた汚物処理方法を説明するための図（その１）である。
【図５】汚物処理袋を用いた汚物処理方法を説明するための図（その２）である。
【図６】汚物処理袋を用いた汚物処理方法を説明するための図（その３）である。
【図７】汚物処理袋を用いた汚物処理方法を説明するための図（その４）である。
【図８】変形例（その１）に係る汚物処理袋の全体外観図である。
【図９】変形例（その２）に係る汚物処理袋の全体外観図である。
【図１０】変形例（その３）に係る汚物処理袋の全体外観図である。
【図１１】本願発明に係る汚物処理具の一実施形態の全体外観図である。
【図１２】汚物処理具のうち支持部を拡大した部分拡大図である。
【図１３】汚物処理具を用いた汚物処理方法を説明するための図である。
【発明を実施するための形態】
【００１７】
以下、本願発明の好ましい実施の形態につき、図面を参照して具体的に説明する。
【００１８】
図１は、本願発明に係る汚物処理袋１０の一実施形態の全体外観図、図２は、図１のＩＩ−ＩＩ線に沿う断面図、図３は、図１のＩＩＩ−ＩＩＩ線に沿う断面図である。この汚物処理袋１０は、水溶性フィルム２からなる内袋２０と、水分散性の紙３からなる外袋３０とを有する。
【００１９】
内袋２０は、表面側パネル２１と裏面側パネル２２とが底部で折り返され、底部折り返し部２３によって連続させられている。また、両パネル２１，２２が両側部の融着部４０において融着させられることにより、上部に開口（上部開口部２４）を有する袋状となっている。なお、上部開口部２４が、本願発明の「フィルム側上部開口部」に相当する。
【００２０】
外袋３０もまた、表面側パネル３１と裏面側パネル３２とが底部で折り返され、底部折り返し部３３によって連続させられている。また、両パネル３１，３２が両側部の融着部４０において融着させられることにより、上部に開口（上部開口部３４）を有する袋状となっている。なお、上部開口部３４が、本願発明の「紙側上部開口部」に相当する。
【００２１】
内袋２０と外袋３０とは、それらの各パネル２１，２２，３１，３２が両側部において重ね合わされて融着させられることにより、一体化させられている。ただし、内袋２０と外袋３０とにおいて、互いの底部折り返し部２３，３３は、実質的に分離させられている。
【００２２】
本実施形態においては、図１および図２に示すように、内袋２０の丈は外袋３０の丈よりも長い。したがって、内袋２０の上部開口部２４は、外袋３０の上部開口部３４よりも上方に延出させられている。また、内袋２０の底部折り返し部２３は、外袋３０の底部折り返し部３３よりも上方に位置し、底部折り返し部２３，３３は互いに分離している。
【００２３】
また、本実施形態においては、汚物処理袋１０は、上部開口部２４，３４以外の箇所に、補助開口部４１を有している。補助開口部４１は、汚物処理袋１０の外側から内側まで開口した部分である。本実施形態においては、水溶性フィルム２および水分散性の紙３の両者に補助開口部４１が形成されている。また、本実施形態においては、図１に示すように、補助開口部４１は、内袋２０および外袋３０の各々において、底部側、かつ、側部側の端縁部分に配置されている。なお、水溶性フィルム２に形成された補助開口部４１が、本願発明の「フィルム側補助開口部」に相当し、水分散性の紙３に形成された補助開口部４１が、本願発明の「紙側補助開口部」に相当する。補助開口部４１は、底部折り返し部２３，３３と融着部４０とを繋ぐ角部が切り取られて形成されている。
【００２４】
上記水溶性フィルム２は、たとえば、ポリビニルアルコール、カルボキシル基、スルホン酸基、リン酸基などを有する水溶性ポリマーまたはその塩、プルランフィルム、ゼラチン、ヒドロキシプロピルセルロース、ヒドロキシプロピルメチルセルロース、ヒドロキシエチルセルロース、メチルセルロース等のセルロース誘導体などの水溶性物質を基材としたフィルムが好適に用いられる。
【００２５】
上記水分散性の紙３は、適度な水への分散性を有することが必要であり、その尺度としては、ＪＩＳ  Ｓ４５０１の「ほぐれやすさ」が、好ましくは１００秒以内のものを用いる。このような紙の代表的な例は、トイレットペーパーとして用いる紙がある。また、水分散性の紙３は、手の力で変形させることができ、かつ、変形後の形状を保持することが可能な材質である。なお、水分散性の紙３は、実際には水に溶けず、非常に細かく分散するだけであるが、本説明においては、水の中で分散する（分散した）ことを「溶解」や「溶ける」に含むものとする。
【００２６】
次に、上記汚物処理袋１０を用いた汚物処理方法について説明する。なお、この汚物処理方法を第１の汚物処理方法と表現する。
【００２７】
図４に示すように、まず、当該汚物処理袋１０の内側に手を挿入し、汚物処理袋１０に覆われた手で汚物Ｍを掴む。そして、図５に示すように、水溶性フィルム２が水分散性の紙３の外側になるように、汚物処理袋１０を反転させて汚物Ｍを収容する。これにより、汚物Ｍを包み込んだ水分散性の紙３がさらに水溶性フィルム２からなる袋内に収容された格好となる。
【００２８】
そして、図６に示すように、汚物Ｍを収容した状態の汚物処理袋１０の口（上部開口部２４，３４）を結んで封鎖する。このとき、一定量の空気を封じ込めるようにして汚物処理袋１０の口を封鎖すれば、汚物Ｍを包む水分散性の紙３と外側の水溶性フィルム２との間の空気層をより確実に形成することができる。これにより、水分を多く含む汚物Ｍの長時間保持が可能となり、たとえば、犬の散歩中、途中で水分が滲み出て、汚物処理袋１０が溶解して汚物Ｍが落下するといったことなく、持ち帰ることができる。
【００２９】
そして、汚物Ｍが収容された汚物処理袋１０は、図７に示すように、そのまま水洗トイレ等で排水処理する。このとき、便器内の洗浄水が補助開口部４１を介して汚物処理袋１０の外側から内側に流入する。なお、汚物処理袋１０を排水処理するときに、補助開口部４１を下に向けて便器内に入れるとより効果的である。
【００３０】
以上の結果、本実施形態に係る汚物処理袋１０は、水洗トイレなどへの排水処理時に補助開口部４１から便器内の洗浄水が流入するため、汚物処理袋１０の外側からだけでなく、内側からも溶解させることができる。これにより、汚物処理袋１０の溶解を促進させ、排水処理時の時間を短縮することが可能となる。さらに、水溶性フィルム２および水分散性の紙３の両者が同時に溶解することで、内部の空気の排出も促進され、汚物処理袋１０が便器内の洗浄水上に浮いてしまうことを抑制し、もって、排水処理時の時間を短縮することに寄与している。また、排水処理前に汚物処理袋１０を軽く押さえることで、汚物処理袋１０の内側の空気を補助開口部４１から排出させることも可能であり、これにより、汚物処理袋１０が便器内の洗浄水で浮いてしまうことを抑制することもできる。
【００３１】
なお、本実施形態に係る汚物処理袋１０は、上記特許文献１に記載の製造方法によって生成される汚物処理袋から、補助開口部４１を設けることによって製造される。たとえば、図１に示す実施形態の汚物処理袋１０の場合、上記特許文献１に記載の製造方法によって生成される汚物処理袋から、底部側かつ側部側の端縁部分を切り取ることで、本実施形態に係る、補助開口部４１を有する汚物処理袋１０が形成される。なお、熱融着部分を切断するときに、同時に底部側かつ側部側の端縁部分を切り取るようにしてもよい。
【００３２】
上記実施形態に係る汚物処理袋１０においては、補助開口部４１を水溶性フィルム２と水分散性の紙３との両方に設けた場合を例に説明したが、これに限定されず、水溶性フィルム２だけに設けるようにしてもよい。すなわち、汚物処理袋１０において、紙側補助開口部がなく、フィルム側補助開口部だけを有するものであってもよい。水溶性フィルム２は、汚物Ｍを収容した状態では、水分散性の紙３の外側に位置する。従来の汚物処理袋においては、水溶性フィルム２が溶解してから水分散性の紙３が溶解していたため、排水処理に時間がかかっていた。しかし、本変形例に係る汚物処理袋１０においては、水溶性フィルム２に設けられた補助開口部４１（フィルム側補助開口部）から水溶性フィルム２と水分散性の紙３との間に便器内の洗浄水が流入するため、水溶性フィルム２を溶解させながら、水分散性の紙３も同時に溶解させることができる。したがって、本変形例においても、従来の汚物処理袋に比べて、排水処理時の、時間を短縮することができる。
【００３３】
上記実施形態に係る汚物処理袋１０においては、補助開口部４１を底部側かつ側部側の端縁部分に設けた場合を例に説明したが、補助開口部４１の位置はこれに限定されず、上部開口部２４，３４以外の場所に補助開口部４１が形成されていればよい。図８（ａ）は、複数の小さな補助開口部４１を表面側パネル２１，３１および裏面側パネル２２，３２に形成した場合を示している。なお、水溶性フィルム２（表面側パネル２１および裏面側パネル２２）だけに補助開口部４１を形成していてもよい。また、表面側パネル２１，３１あるいは裏面側パネル２２，３２のいずれか一方だけに形成していてもよい。図８（ｂ）は、半円状の補助開口部４１を両側の側部の一部分にそれぞれ形成した場合を示している。なお、水溶性フィルム２だけに形成していてもよく、また、片側の側部だけに形成していてもよい。さらに、補助開口部４１の形状は、半円状に限らず矩形状や多角形状であってもよい。
【００３４】
上記実施形態に係る汚物処理袋１０においては、補助開口部４１として汚物処理袋１０の一部を切り取っている場合を例に説明したが、これに限定されず、汚物処理袋１０の少なくとも水溶性フィルム２の外側から内側に通気および水の流入が可能な部分を設けていればよい。図９（ａ）は、水溶性フィルム２および水分散性の紙３に切れ目４２を入れた場合を示している。当該切れ目４２によって、汚物処理袋１０の外側から内側に通気および水の流入が可能となるので、当該切れ目４２が補助開口部４１に相当する。図９（ｂ）は、汚物処理袋１０の両側部に融着させない部分（未融着部４３）を設けた場合を示している。当該未融着部４３によって、汚物処理袋１０の外側から内側に通気および水の流入が可能となるので、当該未融着部４３が補助開口部４１に相当する。なお、図９においては、水溶性フィルム２および水分散性の紙３の両方に切れ目４２あるいは未融着部４３を設けた場合を示しているが、水溶性フィルム２だけに設けていてもよい。また、図９においては、切れ目４２あるいは未融着部４３を側部中央付近に配置しているが、この位置に限定されない。
【００３５】
上記実施形態に係る汚物処理袋１０においては、外側に配置される水分散性の紙３は、底部を除き、両側部の上下方向全長（補助開口部４１を除く）にわたって水溶性フィルム２と一体化されて袋状となっている場合を例に説明したが、これに限らず、この水分散性の紙３は、必ずしも袋状となっている必要はない。具体的には、本願発明に係る汚物処理袋１０は、水分散性の紙３が水溶性フィルム２からなる袋の外側に位置していて、表面側パネル３１と裏面側パネル３２とが袋の底部において折り返し状（底部折り返し部３３）に連続しており、かつ、適当な部位において水溶性フィルム２の袋に一体化させられておればよい。たとえば、図１において、水分散性の紙３の両側部における上部側のみを水溶性フィルム２と一体化するだけでもよいし、あるいは、図１において水分散性の紙３の片側のみを水溶性フィルム２と一体化するだけもよい。ただし、これらの場合においても、水溶性フィルム２は、袋状とし、補助開口部４１（フィルム側補助開口部）を設けておく必要がある。また、他の一例として、図１０に示すように、水溶性フィルム２からなる内袋２０の外側に、表面側パネル３１と裏面側パネル３２とが底部折り返し部３３において連続するようにして、水分散性の紙３を添着するようにしてもよい。この場合、水分散性の紙３は、たとえば接着剤によって、水溶性フィルム２からなる内袋２０の表面に部分的に接合されて一体化されることになる。本変形例においては、図１０に示すように、複数の接合部４４によって、水溶性フィルム２と水分散性の紙３とが一体化されている。
【００３６】
上記実施形態に係る汚物処理袋１０においては、外側の水分散性の紙３が一重構造である場合を例に説明したが、これに限定されず、二重構造（部分的に二重構造とすることも含む）であってもよい。外側の水分散性の紙３を二重構造にすることにより、水分を多く含む汚物Ｍの保持力を高めることができる。
【００３７】
上記実施形態に係る汚物処理袋１０においては、補助開口部４１をすでに設けている場合を例に説明したが、これに限定されず、たとえば、製造工程において、補助開口部４１を形成せず（補助開口部４１の部分を切り取らず）、補助開口部４１の部分にミシン目のみをいれておくようにしてもよい。この場合、汚物処理袋１０を使用する前あるいは水洗トイレなどで排水処理する前に利用者が当該ミシン目に沿って切り取ることで、補助開口部４１を形成するようにしてもよい。
【００３８】
以上に示した各種変形例においても、上記実施形態と同様に、排水処理時に、補助開口部４１（切れ目４２や未融着部４３を含む）から流入した便器内の洗浄水により、汚物処理袋１０の内側からも溶解させることができるため、排水処理時の時間を短縮することができる。
【００３９】
上記実施形態に係る汚物処理方法（第１の汚物処理方法）において、汚物処理袋１０に手を挿入し、汚物処理袋１０に覆われた手で汚物Ｍを掴む場合を例に説明したが、これに限定されない。以下に、他の汚物処理方法として、本願発明に係る汚物処理具１００を用いた汚物処理方法について説明する。なお、この汚物処理方法を第２の汚物処理方法と表現する。
【００４０】
まず、本願発明に係る汚物処理具１００について、説明する。図１１は、本願発明に係る汚物処理具１００の一実施形態の全体外観図を示している。汚物処理具１００は、図１１に示すように、上記実施形態に係る汚物処理袋１０と棒状部材５０とを有する。なお、上記実施形態に係る汚物処理袋１０の代わりに、上記各種変形例に係る汚物処理袋１０を用いてもよい。本実施形態に係る汚物処理具１００において、棒状部材５０は、長手方向に長く延びており、長手方向の一方の端縁に汚物処理袋１０が取り付けられている。なお、汚物処理具１００において、汚物処理袋１０は、水溶性フィルム２が水分散性の紙３の外側になるように反転させ、かつ、上部側が外側に折り返された状態で、棒状部材５０に取り付けられている。よって、汚物処理袋１０は、上部側において、外側から内側にかけて、水分散性の紙３、水溶性フィルム２、水溶性フィルム２、そして、水分散性の紙３の順になっている。
【００４１】
棒状部材５０は、図１１に示すように、ロッド部５１、把持部５２、および、支持部５３を有する。
【００４２】
ロッド部５１は、長手方向に延びた棒状の部分である。本実施形態においては、ロッド部５１は、細長い円筒状の棒である。ロッド部５１は、長手方向の一方の端縁に支持部５３が、他方の端縁に把持部５２が取り付けられている。本実施形態においては、ロッド部５１は、長手方向に伸縮自在である。なお、伸縮させるための構造については、周知の手法を用いればよく、指し棒、ロッドアンテナ、突っ張り棒、折畳み傘、釣り竿などの伸縮構造を応用すればよい。このようにすることで、使用しないときに、ロッド部５１を短くすることができるため、散歩中や家での保管の際、コンパクトにすることができる。
【００４３】
把持部５２は、棒状部材５０の持ち手部分である。把持部５２は、たとえば、ロッド部５１に比べて、滑りにくくしたり、柔らかくしたりすることで、利用者にとって持ちやすくされている。なお、把持部５２は、必ずしも必要なものではない。
【００４４】
支持部５３は、汚物処理袋１０を取り付ける部分であり、棒状部材５０から汚物処理袋１０を着脱可能にしている。支持部５３は、汚物処理袋１０が棒状部材５０に取り付けられているとき、汚物処理袋１０を支持している。図１２は、汚物処理具１００のうち支持部５３の部分を拡大した部分拡大図である。図１２（ａ）は支持部５３の斜視図を示しており、図１２（ｂ）は、支持部５３の側面図を示している。なお、図１２（ａ）において、汚物処理袋１０の図示を省略している。
【００４５】
本実施形態においては、支持部５３は、図１２に示すように、一対の挟持部５３１、一対のつまみ部５３２、および、支点部５３３を有している。支持部５３において、一対の挟持部５３１は、通常時、図示しない弾性部材により、閉じた状態である。このとき、一対のつまみ部５３２を手でつまむと、つまみ部５３２をつまんでいる間、支点部５３３を支点に、一対の挟持部５３１が開いた状態となる。支持部５３は、いわゆる目玉クリップや山型クリップなどと同様のクリップ状の構造である。
【００４６】
本実施形態においては、図１２（ｂ）に示すように、一対の挟持部５３１が汚物処理袋１０の上部側の端縁を挟持することで、支持部５３は汚物処理袋１０を支持している。このとき、一方の挟持部５３１が汚物処理袋１０を内側から係止し、他方の挟持部５３１が汚物処理袋１０を外側から係止している。
【００４７】
また、本実施形態においては、支持部５３は、ロッド部５１から着脱可能に構成されている。たとえば、図１２に示すように、支持部５３に雄ねじ部５３４を設け、また、ロッド部５１に支持部５３を取り付ける側の端縁に雌ねじ部５１１を設けることで、支持部５３をロッド部５１から着脱可能としている。反対に支持部５３に雌ねじをロッド部５１に雄ねじを設けるようにしてもよい。なお、着脱が可能であれば、その構造は、上記したものに限定されない。また、着脱させず、一体化していてもよい。雄ねじ部５３４は、支持部５３の一方のつまみ部５３２に繋がっており、本実施形態においては、ジョイント部５３５を介して繋がっている。ジョイント部５３５として、たとえば、図１２に示すように、ボールジョイントを用いることで、ロッド部５１に対して、支持部５３を好みの角度に傾けることができる。なお、ジョイント部５３５がなく、一方のつまみ部５３２と雄ねじ部５３４とが一体化していてもよい。
【００４８】
なお、支持部５３は、汚物処理袋１０を支持可能なものであれば、上記した形状に限定されない。たとえば、他の各種クリップや洗濯バサミのような形状であってもよい。また、粘着テープによって、汚物処理袋１０を貼り付けて支持する構造であってもよい。あるいは、フックや円環状の輪っかなどによって、汚物処理袋１０を吊り下げて支持する構造であってもよい。ただし、汚物Ｍを汚物処理袋１０に収容したときに、汚物Ｍの重みによって汚物処理袋１０が棒状部材５０から外れない程度の保持力を有する必要がある。
【００４９】
次に、汚物処理具１００を用いた、第２の汚物処理方法について説明する。なお、以下の説明において、第２の汚物処理方法として、犬の糞などの汚物Ｍを処理する場合を例に説明するが、犬に限らず、猫やその他の動物などでもよい。
【００５０】
第２の汚物処理方法は、まず汚物処理袋１０を棒状部材５０に取り付けて、汚物処理具１００を準備することから始まる。具体的には、利用者は、上記汚物処理袋１０を、水溶性フィルム２が外側、水分散性の紙３が内側になるように、反転させる。その後、図１１および図１２（ｂ）に示すように、汚物処理袋１０の上部側を外側に折り返しておき、そして、手などで、反転させた状態の汚物処理袋１０の上部開口部２４，３４を広げる。本実施形態においては、上部開口部２４，３４を円形状に広げている。さらに、本実施形態においては、汚物処理袋１０をおわん状に変形させている（図１１参照）。このとき、水分散性の紙３は、上記変形させた形状を保持する力を有するため、汚物処理袋１０は変形された形状で保持される。本実施形態においては、上記するように、汚物処理袋１０の上部側を外側に折り返しており、これにより、変形させた汚物処理袋１０の形状、特に、上部開口部２４，３４を広げた形状を保持する力を高くすることができる。なお、汚物処理袋１０の上部側を外側に折り返さなくてもよい。
【００５１】
次に、変形させた汚物処理袋１０を棒状部材５０に取り付ける。具体的には、利用者は、つまみ部５３２をつまんで、一対の挟持部５３１を開いた状態にする。そして、汚物処理袋１０の上部側の端縁の一部を一対の挟持部５３１の間に配置させ、つまみ部５３２をつまむのを止める。これにより、一対の挟持部５３１が閉じた状態になり、図１１および図１２（ｂ）に示すように、一方の挟持部５３１が汚物処理袋１０の内側を係止し、他方の挟持部５３１が汚物処理袋１０の外側を係止した状態となる。このようにして、支持部５３が汚物処理袋１０の上部側の端縁の一部を挟持し、棒状部材５０に汚物処理袋１０が取り付けられる。以上により、図１１に示す汚物処理具１００が完成する。
【００５２】
次に、把持部５２を握って、汚物処理具１００を持ち、犬が糞などの汚物Ｍを排出する前に、図１３に示すように、汚物処理袋１０を犬などの尻下に差し延べておく。図１３に示す状態で、犬などが糞をすると、汚物Ｍが直接汚物処理袋１０に収容される。
【００５３】
続いて、汚物Ｍが収容された汚物処理袋１０を、棒状部材５０から取り外す。具体的には、支持部５３のつまみ部５３２を手などでつまみ、汚物処理袋１０を支持部５３から外す。以降は、図６，図７と同様に、汚物処理袋１０の口（上部開口部２４，３４）を結んで封鎖し、家に持ち帰った後に、水洗トイレなどで排水処理する。なお、汚物Ｍが収容された汚物処理袋１０を、棒状部材５０から取り外すことなく、家に持ち帰った後、汚物処理袋１０を棒状部材５０から取り外し、汚物処理袋１０の口を結ぶことなく、そのまま水洗トイレなどで排水処理してもよい。
【００５４】
上記第２の汚物処理方法によれば、汚物Ｍを直接汚物処理袋１０に収容することができるため、汚物Ｍが地面などの地上に落ちることなく回収できる。これにより、地面などを汚すことがなくなる。また、汚物処理袋１０を介するとはいえ、汚物Ｍを手で掴むという抵抗感もなくなる。特に、水分を多く含む汚物Ｍの場合、地面などの落ちた汚物Ｍを完全に回収することは困難であるが、汚物処理具１００を用いることで、汚物Ｍの収容回収が容易なものとなる。さらに、汚物処理具１００を用いた場合、利用者はかがむことなく、汚物Ｍの回収が可能となるため、利用者の負担を軽減させることができる。
【００５５】
本願発明に係る汚物処理袋、汚物処理具、および、汚物処理方法は、上記した実施形態および変形例に限定されるものではない。本願発明の汚物処理袋および汚物処理具の各部の具体的な構成、および、汚物処理方法の各工程の具体的な構成は、種々に設計変更自在である。
【符号の説明】
【００５６】
１０  汚物処理袋
２  水溶性フィルム
２０  内袋
２１  表面側パネル
２２  裏面側パネル
２３  底部折り返し部
２４  上部開口部（フィルム側上部開口部）
３  水分散性の紙
３０  外袋
３１  表面側パネル
３２  裏面側パネル
３３  底部折り返し部
３４  上部開口部（紙側上部開口部）
４０  融着部
４１  補助開口部（フィルム側補助開口部、紙側補助開口部）
４２  切れ目
４３  未融着部
４４  接合部
１００  汚物処理袋
５０  棒状部材
５１  ロッド部
５１１  雌ねじ部
５２  把持部
５３  支持部
５３１  挟持部
５３２  つまみ部
５３３  支点部
５３４  雄ねじ部
５３５  ジョイント部
Ｍ  汚物
【図１】
2018070325.tif 000003
【図２】
2018070325.tif 000004
【図３】
2018070325.tif 000005
【図４】
2018070325.tif 000006
【図５】
2018070325.tif 000007
【図６】
2018070325.tif 000008
【図７】
2018070325.tif 000009
【図８】
2018070325.tif 000010
【図９】
2018070325.tif 000011
【図１０】
2018070325.tif 000012
【図１１】
2018070325.tif 000013
【図１２】
2018070325.tif 000014
【図１３】
2018070325.tif 000015